(57)【要約】ネットワーク上でのインフラストラクチャサービスの電力効率の良い発見のためのシステム、方法、およびデバイスが開示される。一態様では、ネットワーク上でサービス情報を送信するためにアドバタイジングウィンドウを使用するための方法が開示される。方法は、ネットワーク上で１つ以上のノードによって提供されるサービスについての情報がアドバタイズされることとなるアドバタイジングウィンドウに関するタイミング情報を送信することを含む。方法は、アドバタイジングウィンドウ中に、ネットワーク上で１つ以上のノードによって提供されるサービスについての情報を送信することをさらに含む。【特許請求の範囲】
【請求項１】
ネットワーク上でサービス情報を送信するためにアドバタイジングウィンドウを使用するための方法であって、前記方法は、
前記ネットワーク上で１つ以上のノードによって提供されるサービスについての情報がアドバタイズされることとなるアドバタイジングウィンドウに関するタイミング情報を送信することと、
前記アドバタイジングウィンドウ中に、前記ネットワーク上で１つ以上のノードによって提供されるサービスについての情報を送信することと
を備える方法。
【請求項２】
前記ネットワーク上で１つ以上のノードによって提供される１つ以上のサービスについて、ワイヤレスデバイスからクエリを受信することをさらに備え、ここにおいて、情報を送信することは、前記１つ以上のサービスについての情報を送信することを備える、請求項１に記載の方法。
【請求項３】
前記ネットワーク上で１つ以上のノードによって提供される１つ以上のサービスについてのクエリを、ワイヤレスデバイスから受信することをさらに備え、ここにおいて、タイミング情報を送信することは、前記クエリに対する応答を備えるアドバタイジングウィンドウに関するタイミング情報を前記ワイヤレスデバイスに送信することを備える、請求項１に記載の方法。
【請求項４】
前記アドバタイジングウィンドウ中に、他のワイヤレスデバイスが、前記他のワイヤレスデバイスによって提供されるサービスに関する情報を送信するのを可能にすることをさらに備える、請求項１に記載の方法。
【請求項５】
タイミング情報を含むプローブ応答フレームまたはビーコンを構築することさらに備える、請求項１に記載の方法。
【請求項６】
クエリに応答する最短時間を送信することをさらに備える、請求項１に記載の方法。
【請求項７】
前記ネットワーク上で提供される１つ以上のサービスについてのクエリを受信することと、
前記アドバタイジングウィンドウ中に、前記ネットワーク上で提供される１つ以上のサービスについての前記クエリを再送信することと
をさらに備える、請求項１に記載の方法。
【請求項８】
ワイヤレス通信デバイスであって、前記デバイスは、
送信機を備え、ここで、前記送信機は、
前記ネットワーク上で１つ以上のノードによって提供されるサービスについての情報がアドバタイズされることとなるアドバタイジングウィンドウに関するタイミング情報を送信することと、
前記アドバタイジングウィンドウ中に、前記ネットワーク上で１つ以上のノードによって提供されるサービスについての情報を送信することと
を行うように構成される、デバイス。
【請求項９】
前記ネットワーク上で１つ以上のノードによって提供される１つ以上のサービスについて、ワイヤレスデバイスからクエリを受信するように構成された受信機をさらに備え、ここにおいて、情報を送信することは、前記１つ以上のサービスについての情報を送信することを備える、請求項８に記載のデバイス。
【請求項１０】
前記ネットワーク上で１つ以上のノードによって提供される１つ以上のサービスについてのクエリを、ワイヤレスデバイスから受信するように構成された受信機をさらに備え、ここにおいて、タイミング情報を送信することは、前記クエリに対する応答を備えるアドバタイジングウィンドウに関するタイミング情報を前記ワイヤレスデバイスに送信することを備える、請求項８に記載のデバイス。
【請求項１１】
前記送信機は、前記アドバタイジングウィンドウ中に、他のワイヤレスデバイスが、前記他のワイヤレスデバイスによって提供されるサービスに関する情報を送信するのを可能にするようにさらに構成される、請求項８に記載のデバイス。
【請求項１２】
前記送信機は、タイミング情報を含むプローブ応答フレームまたはビーコンを構築するようにさらに構成される、請求項８に記載のデバイス。
【請求項１３】
クエリに応答する最短時間を送信することをさらに備える、請求項８に記載のデバイス。
【請求項１４】
前記ワイヤレス通信デバイスは、アクセスポイントとして機能するようにさらに構成される、請求項８に記載のデバイス。
【請求項１５】
前記ネットワーク上で提供される１つ以上のサービスについてのクエリを受信するように構成された受信機と、
前記アドバタイジングウィンドウ中に、前記ネットワーク上で提供される１つ以上のサービスについての前記クエリを再送信する
ようにさらに構成された前記送信機と
をさらに備える、請求項８に記載のデバイス。
【請求項１６】
ネットワーク上でアドバタイジングウィンドウを使用するための方法であって、前記方法は、
前記ネットワーク上で１つ以上のノードによって提供されるサービスについての情報がアドバタイズされることとなるアドバタイジングウィンドウに関するタイミング情報をアクセスポイントから受信することと、
前記アドバタイジングウィンドウ中に、前記ネットワーク上で１つ以上のノードによって提供されるサービスについての情報を前記アクセスポイントから受信することと
を備える方法。
【請求項１７】
１つ以上のサービスについての情報を要求するクエリを前記アクセスポイントに送信することをさらに備え、ここにおいて、タイミング情報を受信することは、前記クエリに応答してアドバタイジングウィンドウのタイミング情報を受信することを備える、請求項１６に記載の方法。
【請求項１８】
前記クエリに応答するタイミングを含むプローブ応答フレームを受信することをさらに備える、請求項１７に記載の方法。
【請求項１９】
前記アドバタイジングウィンドウの時間まで低電力モードに入ることをさらに備え、ここで、前記アドバタイジングウィンドウの前記時間は、前記クエリに応答する前記タイミングに少なくとも部分的に基づく、請求項１７に記載の方法。
【請求項２０】
１つ以上のサービスについての情報を要求するクエリを前記アクセスポイントに送信することと、
前記アドバタイジングウィンドウの時間まで低電力モードに入ることと
をさらに備える、請求項１６に記載の方法。
【請求項２１】
クエリに応答する最短時間を受信することをさらに備える、請求項１６に記載の方法。
【請求項２２】
前記アドバタイジングウィンドウ中に、１つ以上のサービスについての情報を要求する１つ以上の再送信されたクエリを受信することをさらに備える、請求項１６に記載の方法。
【請求項２３】
前記アドバタイジングウィンドウ中に、ワイヤレスデバイスによって提供される１つ以上のサービスに関連したアドバタイジングメッセージを送信することをさらに備える、請求項１６に記載の方法。
【請求項２４】
ワイヤレス通信デバイスであって、前記デバイスは、
前記ネットワーク上で１つ以上のノードによって提供されるサービスについての情報がアドバタイズされることとなるアドバタイジングウィンドウに関するタイミング情報をアクセスポイントから受信することと、
前記アドバタイジングウィンドウ中に、前記ネットワーク上で１つ以上のノードによって提供されるサービスについての情報を前記アクセスポイントから受信することと
を行うように構成された受信機
を備えるデバイス。
【請求項２５】
１つ以上のサービスについての情報を要求するクエリを前記アクセスポイントに送信するように構成された送信機をさらに備え、ここにおいて、タイミング情報を受信することは、前記クエリに応答してアドバタイジングウィンドウのタイミング情報を受信することを備える、請求項２４に記載のデバイス。
【請求項２６】
前記受信機は、前記クエリに応答するタイミングを含むプローブ応答フレームを受信するようにさらに構成される、請求項２５に記載のデバイス。
【請求項２７】
前記受信機は、前記アドバタイジングウィンドウの時間まで低電力モードに入るようにさらに構成され、ここで、前記アドバタイジングウィンドウの前記時間は、前記クエリに応答する前記タイミングに少なくとも部分的に基づく、請求項２５に記載のデバイス。
【請求項２８】
１つ以上のサービスについての情報を要求するクエリを前記アクセスポイントに送信するように構成された送信機と、前記アドバタイジングウィンドウの時間まで低電力モードに入るようにさらに構成された前記受信機とをさらに備える、請求項２４に記載のデバイス。
【請求項２９】
前記受信機は、前記アドバタイジングウィンドウ中に、１つ以上のサービスについての情報を要求する１つ以上の再送信されたクエリを受信するようにさらに構成される、請求項２４に記載のデバイス。
【請求項３０】
前記アドバタイジングウィンドウ中に、前記ワイヤレス通信デバイスによって提供される１つ以上のサービスに関連したアドバタイジングメッセージを送信するように構成された送信をさらに備える、請求項２４に記載のデバイス。
【発明の詳細な説明】
【技術分野】
【０００１】
[0001]  本願は一般にワイヤレス通信に関し、より具体的には、ネットワーク上でのインフラストラクチャサービスの電力効率発見（power efficient discovery）のためのシステム、方法、およびデバイスに関する。
【背景技術】
【０００２】
[0002]  多くのテレコミュニケーションシステムでは、通信ネットワークが、いくつかの相互作用しかつ空間的に離れているデバイス間でメッセージを交換するために使用される。ネットワークは、例えば、メトロポリタンエリア、ローカルエリア、またはパーソナルエリアでありうる地理的範囲にしたがって分類されうる。そのようなネットワークは、それぞれ、広域ネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と指定されうる。ネットワークはまた、様々なネットワークノードおよびデバイスを相互接続するために使用されるスイッチング／ルーティング技法（例えば、回線交換対パケット交換）、送信に採用される物理的な媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）、等）によって異なる。
【０００３】
[0003]  ワイヤレスネットワークは、ネットワーク要素がモバイルであるため動的な接続性のニーズがあるとき、またはネットワークアーキテクチャが、固定式ではなく、アドホックのトポロジで形成される場合に、好まれることが多い。ワイヤレスネットワークは、無線、マイクロ波、赤外線、光、等の周波数帯域において電磁波を使用して、無誘導伝搬モード（unguided propagation mode）で無形の物理的な媒体を採用する。ワイヤレスネットワークは、有利に、固定のワイヤードネットワークと比べて、ユーザモビリティおよび高速な現場配置を容易にする。
【０００４】
[0004]  ワイヤレスネットワークにおけるデバイスは、互いの間で情報を送信／受信しうる。一般に、いくつかのデバイスは、ネットワークのためのアクセスポイント（ＡＰ）として機能し、他のデバイスは、ネットワークのアクセス機能に接続しうる。異なるＡＰは、これらＡＰに接続されたデバイスに様々なサービスを提供しうる。ゆえに、ＡＰを通じてアクセスされうるサービスの集合体をアドバタイズ（advertise）するために、低オーバーヘッド方法をＡＰに提供するための、改善されたシステム、方法、およびデバイスが望まれる。
【発明の概要】
【０００５】
[0005]  本発明のシステム、方法、およびデバイスは、各々がいくつかの態様を有し、これらのうちの何れもが、単独でその好ましい属性を担うものではない。以下に続く特許請求の範囲によって示される本発明の適用範囲を限定することなく、いくつかの特徴が簡潔に説明されるだろう。この説明を考慮した後、および、特に「発明を実施するための形態」と題されたセクションを読んだ後に、当業者は、どのように本発明の特徴が、ワイヤレスネットワーク内のデバイスのための改善されたページングを含む利点を提供するかを理解するであろう。
【０００６】
[0006]  いくつかの態様では、ネットワーク上でサービス情報を送信するためにアドバタイジングウィンドウを使用するための方法が開示される。方法は、ネットワーク上で１つ以上のノードによって提供されるサービスについての情報がアドバタイズされることとなるアドバタイジングウィンドウに関するタイミング情報を送信することと、アドバタイジングウィンドウ中に、ネットワーク上で１つ以上のノードによって提供されるサービスについての情報を送信することとを備える。
【０００７】
[0007]  本開示の一部は、ワイヤレス通信デバイスを開示する。デバイスは送信機を備え、この送信機は、ネットワーク上で１つ以上のノードによって提供されるサービスについての情報がアドバタイズされることとなるアドバタイジングウィンドウに関するタイミング情報を送信することと、アドバタイジングウィンドウ中に、ネットワーク上で１つ以上のノードによって提供されるサービスについての情報を送信することとを行うように構成される。
【０００８】
[0008]  いくつかの態様では、ワイヤレス通信デバイスが開示される。デバイスは、ネットワーク上で１つ以上のノードによって提供されるサービスについての情報がアドバタイズされることとなるアドバタイジングウィンドウに関するタイミング情報を送信するための手段と、アドバタイジングウィンドウ中に、ネットワーク上で１つ以上のノードによって提供されるサービスについての情報を送信するための手段とを備える。
【０００９】
[0009]  いくつかの態様では、実行されると、ネットワーク上でサービス情報を送信するためにアドバタイジングウィンドウを使用するための方法を行うことをデバイス内のプロセッサに行わせる命令を備えた非一時的コンピュータ可読媒体が開示される。方法は、ネットワーク上で１つ以上のノードによって提供されるサービスについての情報がアドバタイズされることとなるアドバタイジングウィンドウに関するタイミング情報を送信することと、アドバタイジングウィンドウ中に、ネットワーク上で１つ以上のノードによって提供されるサービスについての情報を送信することとを備える。
【００１０】
[0010]  いくつかの態様では、ネットワーク上でアドバタイジングウィンドウを使用するための方法が開示される。方法は、ネットワーク上で１つ以上のノードによって提供されるサービスについての情報がアドバタイズされることとなるアドバタイジングウィンドウに関するタイミング情報をアクセスポイントから受信することと、アドバタイジングウィンドウ中に、ネットワーク上で１つ以上のノードによって提供されるサービスについての情報をアクセスポイントから受信することとを備える。
【００１１】
[0011]  いくつかの態様では、ワイヤレス通信デバイスが開示される。デバイスは受信機を備え、この受信機は、ネットワーク上で１つ以上のノードによって提供されるサービスについての情報がアドバタイズされることとなるアドバタイジングウィンドウに関するタイミング情報をアクセスポイントから受信することと、アドバタイジングウィンドウ中に、ネットワーク上で１つ以上のノードによって提供されるサービスについての情報をアクセスポイントから受信することとを行うように構成される。
【００１２】
[0012]  いくつかの態様では、ワイヤレス通信デバイスが開示される。デバイスは、ネットワーク上で１つ以上のノードによって提供されるサービスについての情報がアドバタイズされることとなるアドバタイジングウィンドウに関するタイミング情報をアクセスポイントから受信するための手段と、アドバタイジングウィンドウ中に、ネットワーク上で１つ以上のノードによって提供されるサービスについての情報をアクセスポイントから受信するための手段とを備える。
【００１３】
[0013]  いくつかの態様では、実行されると、ネットワーク上でアドバタイジングウィンドウを使用するための方法を行うことをデバイス内のプロセッサに行わせる命令を備えた非一時的コンピュータ可読媒体が開示される。方法は、ネットワーク上で１つ以上のノードによって提供されるサービスについての情報がアドバタイズされることとなるアドバタイジングウィンドウに関するタイミング情報をアクセスポイントから受信することと、アドバタイジングウィンドウ中に、ネットワーク上で１つ以上のノードによって提供されるサービスについての情報をアクセスポイントから受信することとを備える。
【図面の簡単な説明】
【００１４】
【図１】図１は、本開示の態様が採用されうる例となるワイヤレス通信システムを示す。
【図２】図２は、図１のワイヤレス通信システム内で採用されうる例となるワイヤレスデバイスの機能ブロック図を示す。
【図３】図３は、ＡＰ１０４のようなＡＰに使用されうる、ネットワーク上でサービス情報を送信するためのアドバタイジングウィンドウを使用するための方法のフローチャートである。
【図４】図４は、ＳＴＡ１０６のようなＳＴＡに使用されうる、ネットワーク上でアドバタイジングウィンドウを使用するための方法のフローチャートである。
【発明を実施するための形態】
【００１５】
[0018]  新規なシステム、装置、および方法の様々な態様が、添付の図面を参照して以下により十分に説明される。しかしながら、本開示は、多くの異なる形態で具現化され得、本開示全体を通して提示される任意の特定の構造または機能に限定されるものとして解釈されるべきではない。むしろ、これらの態様は、この開示を徹底的かつ完全なものとし、この開示により本開示の適用範囲が当業者に十分に伝わるように提供される。本明細書での教示に基づき、当業者は、本開示の適用範囲が、本発明のその他の態様と組み合わされて実現されようと、それから独立して実現されようと、本明細書で開示される新規なシステム、装置、および方法の任意の態様をカバーすることが意図されていることを認識すべきである。例えば、本明細書に示される任意の数の態様を使用して、装置が実現されうるか、または方法が実施されうる。加えて、本発明の適用範囲は、本明細書で示される本発明の様々な態様に加えて、またはそれ以外の、他の構造、機能、または構造と機能を使用して実施されるこのような装置または方法をカバーすることが意図される。本明細書で開示される任意の態様が、請求項の１つ以上の要素によって具現化されうることは理解されるべきである。
【００１６】
[0019]  特定の態様が本明細書で説明されるが、これらの態様の多くの変形および置換は本開示の適用範囲内に含まれる。好ましい態様のいくつかの利益および利点が述べられるが、本開示の適用範囲は、特定の利益、用途、または目的に限定されることは意図されない。むしろ、本開示の態様は、異なるワイヤレス技術、システム構成、ネットワーク、および送信プロトコルに広く適用可能であることが意図されており、そのうちのいくつかは、図においておよび好ましい態様の以下の説明において例として例示される。詳細な説明および図面は、限定するものというよりはむしろ本開示の例示にすぎず、本開示の適用範囲は、添付の特許請求の範囲およびそれらの等価物によって定義されている。
【００１７】
[0020]  普及している（popular）ワイヤレスネットワーク技術は、様々なタイプのワイヤレスローカルエリアネットワーク（ＷＬＡＮ）を含みうる。ＷＬＡＮは、広く使用されているネットワーキングプロトコルを採用して、近くのデバイスと互いに相互接続するために使用されうる。本明細書で説明される様々な態様は、ワイヤレスプロトコルのような任意の通信規格に適用されうる。
【００１８】
[0021]  いくつかの態様では、サブギガヘルツ帯域におけるワイヤレス信号は、直交周波数分割多重化（ＯＦＤＭ）、ダイレクトシーケンススペクトル拡散（ＤＳＳＳ）通信、ＯＦＤＭおよびＤＳＳＳ通信の組み合わせ、または他のスキームを使用して、８０２．１１ａｈプロトコルに従って送信されうる。８０２．１１ａｈプロトコルの実装は、センサ、メータリング（metering）、およびスマートグリッドネットワークのために使用されうる。有利なことに、８０２．１１ａｈプロトコルを実装する特定のデバイスの態様は、他のワイヤレスプロトコルを実装するデバイスよりも少ない電力を消費し得、および／または、例えば、約１キロメートル以上といった比較的長い距離にわたってワイヤレス信号を送信するために使用されうる。
【００１９】
[0022]  いくつかの実現では、ＷＬＡＮは、ワイヤレスネットワークにアクセスする構成要素である様々なデバイスを含む。例えば、アクセスポイント（「ＡＰ」）およびクライアント（局、または「ＳＴＡ」とも呼ばれる）という２つのタイプのデバイスが存在しうる。一般に、ＡＰは、ＷＬＡＮのハブまたは基地局として機能し、ＳＴＡは、ＷＬＡＮのユーザとして機能しうる。例えば、ＳＴＡは、ラップトップコンピュータ、携帯情報端末（ＰＤＡ）、モバイル電話、等でありうる。ある例では、ＳＴＡは、インターネットへのまたは他の広域ネットワークへの一般の接続性を取得するために、ＷｉＦｉ（登録商標）（例えば、８０２．１１ａｈのようなＩＥＥＥ８０２．１１プロトコル）対応のワイヤレスリンクを介してＡＰに接続する。いくつかの実現では、ＳＴＡはＡＰとしても使用されうる。
【００２０】
[0023]  ＡＰはまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または何らかの他の用語を備えうるか、それらとして実現されうるか、またはそれらとして知られうる。
【００２１】
[0024]  ＳＴＡはまた、アクセス端末（「ＡＴ」）、加入者局、加入者ユニット、モバイル局、リモート局、リモート端末、ユーザ端末、ユーザエージェント、ユーザデバイス、ユーザ機器、または何らかの他の用語を備えうるか、それらとして実現されうるか、またはそれらとして知られうる。いくつかの実現では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを備えうる。したがって、本明細書で教示される１つ以上の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、ミュージックまたはビデオデバイス、または衛星ラジオ）、ゲームデバイスまたはシステム、全地球測位システムデバイス、あるいはワイヤレス媒体を介して通信するように構成されたその他の適切なデバイスに組み込まれうる。
【００２２】
[0025]  上述したように、本明細書で説明されるデバイスのうちのある特定のものは、例えば、８０２．１１ａｈ規格を実装しうる。このようなデバイスは、ＳＴＡとして使用されるかＡＰとして使用されるか他のデバイスとして使用されるかにかかわらず、スマートメータリングのために、またはスマートグリッドネットワークにおいて、使用されうる。このようなデバイスは、センサアプリケーションを提供し、またはホームオートメーション（home automation）において使用されうる。これらデバイスはまた、例えば、パーソナルヘルスケアについてのヘルスケアコンテキストで使用されうる。これらはまた、監視（surveillance）のために、拡張範囲のインターネット接続性（例えば、ホットスポットでの使用のための）を可能にするために、またはマシンツーマシン通信を実現するために使用されうる。
【００２３】
[0026]  図１は、本開示の態様が採用されうる例示的なワイヤレス通信システム１００を示す。ワイヤレス通信システム１００は、例えば、８０２．１１ａｈ規格のようなワイヤレス規格に準拠して動作しうる。ワイヤレス通信システム１００は、ＳＴＡ１０６と通信するＡＰ１０４を含みうる。
【００２４】
[0027]  様々なプロセスおよび方法が、ワイヤレス通信システム１００におけるＡＰ１０４とＳＴＡ１０６と間での送信のために使用されうる。例えば、信号は、ＯＦＤＭまたは直交周波数分割多元接続（ＯＦＤＭＡ）技法に従って、ＡＰ１０４とＳＴＡ１０６との間で送受信されうる。この場合には、ワイヤレス通信システム１００は、ＯＦＤＭ／ＯＦＤＭＡシステムと呼ばれうる。代替的に、信号は、符号分割多元接続（ＣＤＭＡ）技法に従って、ＡＰ１０４とＳＴＡ１０６との間で送受信されうる。この場合には、ワイヤレス通信システム１００は、ＣＤＭＡシステムと呼ばれうる。
【００２５】
[0028]  ＡＰ１０４からＳＴＡ１０６のうちの１つ以上ヘの送信を容易にする通信リンクは、ダウンリンク（ＤＬ）１０８と呼ばれ得、ＳＴＡ１０６のうちの１つ以上からＡＰ１０４への送信を容易にする通信リンクは、アップリンク（ＵＬ）１１０と呼ばれうる。代替的に、ダウンリンク１０８は、順方向リンクまたは順方向チャネルと呼ばれ得、アップリンク１１０は、逆方向リンクまたは逆方向チャネルと呼ばれうる。
【００２６】
[0029]  ＡＰ１０４は、基地局として機能し、基本サービスエリア（ＢＳＡ）１０２においてワイヤレス通信カバレッジを提供しうる。ＡＰ１０４は、ＡＰ１０４と関連付けられ、かつ、通信のためにＡＰ１０４を使用するＳＴＡ１０６とともに、基本サービスセット（ＢＳＳ）と呼ばれうる。ワイヤレス通信システム１００は、中央ＡＰ１０４を有していない場合があるが、むしろＳＴＡ１０６間のピア・ツー・ピアネットワークとして機能しうることに留意されたい。したがって、本明細書で説明されるＡＰ１０４の機能は、代替的に、ＳＴＡ１０６のうちの１つ以上によって行われうる。
【００２７】
[0030]  ＡＰ１０４は、ダウンリンク１０８のような通信リンクを介してビーコン信号（または単にビーコン）を、システム１００の他のＳＴＡ１０６に送信し得、これは、他のＳＴＡ１０６が、それらのタイミングをＡＰ１０４と同期するのを助けうるか、または、他の情報または機能性を提供しうる。そのようなビーコンは周期的に送信されうる。一態様では、連続したビーコン間の期間は、スーパーフレームと呼ばれうる。ビーコンの送信間の時間期間は、多数のグループまたはインターバルへと分割されうる。一態様では、ビーコンは、ネットワーク上の多数のデバイス間で共通クロックを設定するためのタイムスタンプ情報、ピア・ツー・ピアネットワーク識別子、デバイス識別子、能力情報、スーパーフレーム持続時間、送信方向情報、受信方向情報、隣接リスト、および／または拡張隣接リストのような情報を含みうるがそれに限定されるわけではない。これらのうちのいくつかは、以下の追加の詳細で説明される。ゆえに、ビーコンは、いくつかのデバイス間の共通（例えば、共有）情報を含み得、所与のデバイスに固有の情報も含みうる。
【００２８】
[0031]  いくつかの態様では、ＳＴＡ１０６は、ＡＰ１０５への通信を送るためおよび／またはそこからの通信を受信するために、ＡＰ１０４と関連付けるために必要とされうる。一態様では、関連付けのための情報は、ＡＰ１０４によってブロードキャストされるビーコンに含まれる。そのようなビーコンを受信するために、ＳＴＡ１０６は、例えば、カバレッジ領域にわたってブロードカバレッジ探索を行いうる。探索はまた、例えば、灯台方式でカバレッジ領域をスイープすることによってＳＴＡ１０６によって行われうる。関連付けのための情報を受信した後、ＳＴＡ１０６は、関連付けプローブまたは要求のような基準信号をＡＰ１０４に送信しうる。いくつかの態様では、ＡＰ１０４は、インターネットまたは公衆交換電話網（ＰＳＴＮ）のようなより大きなネットワークと通信するためにバックホールサービスを使用しうる。
【００２９】
[0032]  図２は、図１のワイヤレス通信システム１００内で採用されうるワイヤレスデバイス２０２の例となる機能ブロック図を示す。ワイヤレスデバイス２０２は、本明細書で説明される様々な方法を実現するように構成されうるデバイスの例である。例えば、ワイヤレスデバイス２０２は、ＡＰ１０４、またはＳＴＡ１０６のうちの１つを備えうる。
【００３０】
[0033]  ワイヤレスデバイス２０２は、ワイヤレスデバイス２０２の動作を制御するプロセッサ２０４を含みうる。プロセッサ２０４は、中央処理ユニット（ＣＰＵ）とも呼ばれうる。読取専用メモリ（ＲＯＭ）とランダムアクセスメモリ（ＲＡＭ）の両方を含みうるメモリ２０６は、命令およびデータをプロセッサ２０４に提供しうる。メモリ２０６の一部はまた、不揮発性ランダムアクセスメモリ（ＮＶＲＡＭ）を含みうる。プロセッサ２０４は、メモリ２０６内に記憶されたプログラム命令に基づいて、論理演算および算術演算を典型的に行う。メモリ２０６内の命令は、本明細書で説明される方法を実現するために実行可能でありうる。
【００３１】
[0034]  プロセッサ２０４は、１つ以上のプロセッサで実装される処理システムの構成要素であるか、またはそれを備えうる。１つ以上のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェア構成要素、専用ハードウェア有限ステートマシン、あるいは情報の算出または他の操作を行うことができるその他の適切なエンティティの任意の組み合わせで実装されうる。
【００３２】
[0035]  処理システムはまた、ソフトウェアを記憶するための機械可読媒体を含みうる。ソフトウェアは、ソフトウェア、ファームウェア、ミドルウェア、マイクロコード、ハードウェア記述言語、またはそれ以外で称されるかにかかわらず、任意のタイプの命令を意味するように広く解釈されるものとする。命令は、コードを（例えば、ソースコードフォーマット、バイナリコードフォーマット、実行可能コードフォーマット、またはその他の適切なコードのフォーマットにおいて）含みうる。命令は、１つ以上のプロセッサによって実行されると、本明細書で説明される様々な機能を行うことを処理システムに行わせる。
【００３３】
[0036]  ワイヤレスデバイス２０２はまた、ワイヤレスデバイス２０２とリモートロケーションとの間でのデータの送信および受信を可能にするために、送信機２１０および／または受信機２１２を含みうるハウジング２０８を含みうる。送信機２１０および受信機２１２は、トランシーバ２１４へと組み合わされうる。アンテナ２１６は、ハウジング２０８に取り付けられており、トランシーバ２１４に電気的に結合されうる。ワイヤレスデバイス２０２はまた、複数の送信機、複数の受信機、複数のトランシーバ、および／または複数のアンテナを含みうる（示されない）。
【００３４】
[0037]  送信機２１０は、以下で説明されるように、ワイヤレスデバイスが仮眠状態（doze state）からウェイクアップし、アウェイク状態（awake state）に入る必要があるか否かをワイヤレスデバイスに示すように構成された「ページングメッセージ」と呼ばれうるメッセージをワイヤレスに送信するように構成されうる。例えば、送信機２１０は、上述されたプロセッサ２０４によって生成されたページングメッセージを送信するように構成されうる。ワイヤレスデバイス２０２がＳＴＡ１０６として実現または使用されるとき、プロセッサ２０４は、ページングメッセージを処理するように構成されうる。ワイヤレスデバイス２０２がＡＰ１０４として実現または使用されるとき、プロセッサ２０４はまた、ページングメッセージを生成するように構成されうる。受信機２１２は、ページングメッセージをワイヤレスに受信するように構成されうる。
【００３５】
[0038]  ワイヤレスデバイス２０２はまた、トランシーバ２１４によって受信される信号のレベルを検出および定量化する試みにおいて使用されうる信号検出器２１８を含みうる。信号検出器２１８は、総エネルギー、シンボル当たりのサブキャリアに対するエネルギー（energy per subcarrier per symbol）、電力スペクトル密度、および他の信号といった信号を検出しうる。ワイヤレスデバイス２０２はまた、信号を処理する際に使用するためのデジタルシグナルプロセッサ（ＤＳＰ）２２０を含みうる。ＤＳＰ２２０は、送信のためのパケットを生成するように構成されうる。いくつかの態様では、パケットは、物理レイヤデータ単位（ＰＰＤＵ）を備えうる。
【００３６】
[0039]  ワイヤレスデバイス２０２は、いくつかの態様では、ユーザインタフェース２２２をさらに備えうる。ユーザインタフェース２２２は、キーパッド、マイクロフォン、スピーカ、および／またはディスプレイを備えうる。ユーザインタフェース２２２は、ワイヤレスデバイス２０２のユーザに情報を伝えるおよび／またはユーザからの入力を受信する任意の要素または構成要素を含みうる。
【００３７】
[0040]  ワイヤレスデバイス２０２の様々な構成要素は、バスシステム２２６によって互いに結合されうる。バスシステム２２６は、データバスを含みうるが、例えば、データバスに加えて電力バス、制御信号バス、ステータス信号バスを含みうる。当業者は、ワイヤレスデバイス２０２の構成要素が、互いに結合されうるか、いくつかの他のメカニズムを使用して互いに入力を受諾または提供することを認識するだろう。
【００３８】
[0041]  多数の別個の構成要素が図２に例示されているが、これら構成要素のうちの１つ以上は、組み合わされるかまたは一般に実現されうる。例えば、プロセッサ２０４は、プロセッサ２０４に関して上述された機能を実現するだけでなく、信号検出器２１８および／またはＤＳＰ２２０に関して上述された機能を実現するためにも使用されうる。さらに、図２に例示される構成要素の各々は、複数の別個の要素を使用して実現されうる。
【００３９】
[0042]  ＡＰ１０４は、多種多様なサービスをＳＴＡ１０６に提供しうる。例えば、ＡＰ１０４は、プリンタ、ミュージックストリーミング、ゲーム、または他のタイプのサービスといった専門のサービスを提供しうる。これらのサービスは、アドホック単位で提供され得、時間とともに変動しうる。他のデバイスもまたサービスをＳＴＡ１０６に提供し得、これらの他のデバイスは、特定のＡＰ１０４のネットワークを通して利用可能でありうる。例えば、ミュージックストリーミングサービスは、ＡＰ１０４のネットワーク上のデバイスによって提供されうる。どのネットワークでも、異なるＡＰが、それらのＡＰに接続されたＳＴＡに異なるサービスを提供しうる。ＡＰ１０４はまた、特定のサービスのＳＴＡ１０６への提供を開始または停止しうるアプリケーションを実行する（run）ことができる。異なるＡＰを通して異なるサービスが利用可能でありうるため、ＡＰが、そのＡＰを通してどのサービスが利用可能であるかをアドバタイズするように構成されることは有益でありうる。アドバタイジングウィンドウ中にこれらのアドバタイズメントが送られることは有益でありうる。そのようなアドバタイジングウィンドウは、インフラストラクチャサービスの電力効率の良い発見（power-efficient discovery）を可能にしうる。例えば、そのようなアドバタイジングウィンドウは、アドバタイズメントメッセージをリスンするために常にアウェイクのままであるようＳＴＡに求めるというよりはむしろ、アドバタイズメントを受信するために、アドバタイジングウィンドウ中にのみそのようなＳＴＡを「ウェイクアップ（wake up）」させうる。
【００４０】
[0043]  図３は、ＡＰ１０４のようなＡＰに使用されうる、ネットワーク上でサービス情報を送信するためにアドバタイジングウィンドウを使用するための方法のフローチャートである。
【００４１】
[0044]  ブロック３０５において、ＡＰは、ネットワーク上で１つ以上のノードによって提供されるサービスについての情報がアドバタイズされることとなるアドバタイジングウィンドウに関するタイミング情報を送信する。例えば、これらのアドバタイジングウィンドウは、周期的でありうるか、または散発的でありうる。いくつかの態様では、ＡＰは、ビーコンフレームにおいてタイミング情報を送信しうる。ＡＰはまた、プローブ応答フレームの一部としてタイミング情報を送信しうる。例えば、デバイスは、ネットワーク上で提供されるサービスについての情報を要求するプローブ要求フレームをＡＰに送り得、ＡＰは、プローブ応答フレームをそのデバイスに送信しうる。いくつかの態様では、ＡＰはまた、クエリ（query）に応答する最短時間を送信しうる。この時間は、ＡＰがクエリに応答するのにかかる最短時間を表し得、ここで、クエリに対する応答は、将来のアドバタイジングウィンドウにおいて送られうる。いくつかの態様では、ＡＰは、プローブ応答フレームにおいてクエリに応答する時間を送信しうる。
【００４２】
[0045]  ブロック３１０において、ＡＰは、アドバタイジングウィンドウ中に、ネットワーク上で１つ以上のノードによって提供されるサービスについての情報を送信する。いくつかの態様では、ＡＰはまた、アドバタイジングウィンドウ中にクエリを再送信しうる。例えば、ＡＰは、いつでも他のワイヤレスデバイスからクエリを受信し得、これらのクエリをアドバタイジングウィンドウ中に再送信しうる。この再送信は、それによって、ＳＴＡのような、サービスを提供しうる他のデバイスが、それらのアドバタイズメントメッセージをネットワーク上のすべてのデバイスによって聞かれるようにできるため、有益でありうる。この再送信はまた、サービスについての情報を受信することを望むデバイスが、アドバタイジングメッセージを取り損なうことなく、アドバタイズメントウィンドウ以外の時間にスリープすることを可能にしうる。いくつかの態様では、アドバタイジングウィンドウ中、他のデバイスはまた、それらの他のデバイスによって提供されるサービスについての情報を送信しうる。例えば、ＡＰは、同様にサービスをアドバタイズしうる他のデバイスからのメッセージのためにアドバタイジングウィンドウの一部を確保しうる。
【００４３】
[0046]  アドバタイジングウィンドウ中にサービスに関するアドバタイズメントを送ることは有益でありうる。例えば、そのようなアドバタイジングウィンドウの使用は、複数のデバイスに送られる重複するアドバタイズメントの数を最小化しうる。アドバタイズメントウィンドウは、ＡＰが、ＡＰを通じてアクセスされうるサービスの集合体をアドバタイズするための低オーバーヘッド方法を提供するために使用されうる。これらのウィンドウは、デバイスが、どのサービスが利用可能であるかについての情報を要求する必要がなく、代わりにアドバタイジングウィンドウ中に自動的にこの情報を受信することができるため、異なるデバイスに送られるアドバタイズメントの重複を最小化することによって、ネットワークオーバヘッドを減らしうる。同様に、アドバタイジングウィンドウは、ＡＰが、サービスについての情報を要求する各デバイスに個々の応答を送る必要がなく、代わりに、アドバタイジングウィンドウ中に１つ以上のブロードキャストまたはマルチキャストメッセージですべてのそのような要求に応答することができるため、ネットワーク帯域幅使用を減らしうる。これらのアドバタイジングウィンドウはまた、ＳＴＡが、アドバタイジングメッセージを取り損ねることなく、アドバタイジングウィンドウとアドバタイジングウィンドウとの間、低電力状態に入ることを可能にしうる。アドバタイズメントは、それらが、ＡＰに関連付けられているもの、ＡＰに関連付けられていないものを含むすべての近くのＳＴＡによって、および他のＡＰによって受信されうるように送られうる。これらのアドバタイズメントは、サービスのリストを要求する個々のデバイスに送られうるか、特定のサービスの有用性についての情報を要求するデバイスに送られうるか、またはどのサービスが１つ以上のＡＰによって提供されるかを学習したいと望みうるすべてのデバイスに周期的に送られうる。例えば、これらのアドバタイズメントは、２つ以上のデバイスに送られるマルチキャストまたはブロードキャストメッセージでありうる。
【００４４】
[0047]  いくつかの態様では、ＡＰは、アドバタイズメントウィンドウに関するタイミング情報を含むビーコンを送信しうる。アドバタイジングウィンドウ中、ＡＰは、ＡＰを通じて利用可能なサービスをアドバタイズしうる。このアドバタイズメントウィンドウはまた、ＢＳＳ内のＳＴＡが、それらが提供するサービスについてのアドバタイズメントを送り出すための機会を含みうる。いくつかの態様では、ＡＰは、ＡＰからのアドバタイズメントのために１つのアドバタイジングウィンドウを、他のＳＴＡからのアドバタイズメントのために別の別個のアドバタイジングウィンドウをスケジューリングしうる。いくつかの態様では、ＡＰは、受信されたクエリを、サービスプロバイダであるＳＴＡがそのようなクエリを受信することを可能にするために、アドバタイジングウィンドウ中に再度ブロードキャストしうる。
【００４５】
[0048]  多数の異なるタイプのフレームが、アドバタイジングウィンドウをスケジューリングするために使用されうる。例えば、ＡＰは、ビーコンにおいておよび／またはプローブ応答フレームにおいて、アドバタイジングウィンドウのスケジューリングされた時間を提供しうる。アドバタイジングウィンドウは周期的でありうるか、何らかの規則正しい頻度で発生しうるか、または散発的でありうる。例えば、アドバタイジングウィンドウが周期的である場合、ＡＰによって送れられる、ビーコンまたはプローブ応答フレームのようないくつかのフレームは、アドバタイジングウィンドウのタイミングおよびそれらがいつスケジューリングされるかを示しうる。例えば、このタイミングは、次のアドバタイジングウィンドウがいつ発生するか、および、アドバタイジングウィンドウ間のインターバルについての情報を備えうる。アドバタイジングウィンドウはまた周期的でありうる。例えば、アドバタイジングウィンドウは、ＡＰが他のデバイスから受信する、サービスに関する情報に対する要求に基づいて発生しうる。例えば、ＡＰが、そのＡＰによって提供されるサービスに関する要求を、他のデバイスから受信しない場合、ＡＰは、より少ない数のアドバタイジングウィンドウをスケジューリングしうるか、アドバタイジングウィンドウをスケジューリングしないだろう。アドバタイジングウィンドウはまた、ＡＰが１つ以上のサービスに対する多数の要求を受信すると、より頻繁にスケジューリングされうる。いくつかの態様では、アドバタイジングウィンドウは、周期的なアドバタイジングウィンドウがスケジュールにしたがって送られ、そしてＡＰがこれらの周期的なアドバタイジングウィンドウを追加の散発的なウィンドウで補完するように、周期的および散発的の両方でありうる。例えば、多くの数のデバイスが、ＡＰによって提供されるサービスのリストを要求する場合、ＡＰは、それにしたがって、追加のアドバタイジングウィンドウをスケジューリングしうる。
【００４６】
[0049]  アドバタイジングウィンドウ中に送られるアドバタイズメントは、ＡＰによって、または、ＡＰのネットワーク上で提供されるいくつかまたはすべてのサービスのアドバタイズメントを含みうる。いくつかの態様では、ＡＰは、他のデバイスからの問い合わせ（inquiry）に関係なくサービスのアドバタイズメントを送信するように構成されうる。例えば、ＡＰは、他のデバイスからの問い合わせに関係なく、いくつかのまたはすべてのアドバタイジングウィンドウ中に提供されるサービスの完全なリストを送信しうる。いくつかの態様では、ＡＰは、ＡＰがＳＴＡから受信するクエリに基づいて、アドバタイジングウィンドウ中にアドバタイズメントを送信するように構成されうる。例えば、ＳＴＡが、１つ以上の特定のサービスに関する情報を要求する場合、ＡＰは、ＳＴＡ要求に基づいて、次のアドバタイズメントウィンドウ中に、それら１つ以上のサービスについての情報を含みうる。いくつかの態様では、アドバタイズメントが、ＳＴＡから受信されたクエリに基づく場合、ＡＰは、アドバタイジングウィンドウまで、ＳＴＡから受信されたクエリをバッファリングし得、アドバタイジングウィンドウ中に、これらのクエリの各々に対する応答を送信しうる。
【００４７】
[0050]  アドバタイジングメッセージは、多数の異なるタイプのメッセージングプロトコルを使用して送られうる。例えば、ボンジュール（Bonjour）またはユニバーサル・プラグ・アンド・プレイ（ＵＰｎＰ）が、ＡＰ上のサービスのリストを提供するために使用されうる。一意リソース識別子（ＵＲＩ）もまた、ＡＰ上のサービスのリストを提供するために使用されうる。いくつかの態様では、これらのプロトコルのうちの１つ以上、の改良されたバージョン、または他のプロトコルが、アドバタイジングメッセージを送信するために使用されうる。アドバタイジングメッセージは、多数の異なるタイプのフレームまたはメッセージとして送られうる。例えば、アドバタイジングメッセージは、ブロードキャストされたアクセスネットワーククエリプロトコル（ＡＮＱＰ）メッセージでありうる。例えば、ＡＮＱＰクエリに応答して送られるサービス発見メッセージは、アドバタイジングウィンドウ中に、ブロードキャストで送られうる。アドバタイジングメッセージはまた、暗号化されていないブロードキャストデータフレームおよび／またはブロードキャストパブリックアクションフレームとして送信されうる。
【００４８】
[0051]  いくつかの態様では、ＳＴＡは、いつでもＡＮＱＰクエリを送りうる。ＡＰは、将来のアドバタイジングウィンドウのタイミングを、または、ビーコンのターゲットビーコン送信時間（ＴＢＴＴ）を指すだろうカムバック期間（come-back period）で応答し得、ここでは、アドバタイズメントウィンドウがアドバタイズされるだろう。ＳＴＡは、アドバタイジングウィンドウスケジュールを受信した後にスリープになる（go to sleep）ように構成されうる。代替的に、ＳＴＡは、アドバタイズメントウィンドウがすでにアドバタイズされている場合、それがすでに受信しているプローブ応答またはビーコンから暗示的にアドバタイズメントウィンドウタイミングを導出しうる。この態様では、ＳＴＡは、ＡＰにクエリを送った直後にスリープになりうる。これらの態様の両方では、任意のクエリに対する応答はアドバタイズメントウィンドウ中に送られるだろう。
【００４９】
[0052]  いくつかの態様では、ＡＰは、ＳＴＡクエリに応答するために遅延応答を使用しうる。例えば、ＡＰは、クエリに応答する最短時間を提供しうる。これは、例えば、アドバタイジングウィンドウのタイミングをアドバタイズするプローブ応答においてまたはビーコンにおいて提供されうる。例えば、ＡＰは、クエリに応答する最短時間を、アドバタイジングウィンドウのタイミングについての情報とともに、ビーコンにおいて送信しうる。これは、ＡＰによって提供されるサービスに関するクエリを送るＳＴＡが、そのクエリに対する応答がいつ受信されうるかを決定することを可能にしうる。例えば、ＳＴＡは、クエリに対する応答が、最低でも、少なくともクエリに応答する最短時間である次のアドバタイジングウィンドウ中に受信されうることを決定しうる。例えば、クエリに応答する最短時間が３００ｍｓである場合、ＡＰにクエリを送るＳＴＡは、クエリが送られた時間から少なくとも３００ｍｓである第１のアドバタイジングウィンドウまでそれが応答を受信しないであろうことを決定しうる。いくつかの態様では、ＡＰは、クエリに対する応答を決定するためにこの時間を使用しうる。例えば、ＳＴＡがＡＰ上のプリンタに関する情報を要求する場合、ＡＰは、どのプリンタが、それがある場合には、ＡＰを通じて利用可能であるかを決定する必要がありうる。いくつかの態様では、クエリに応答する最短時間は、プローブ応答フレームにおいてＡＰからＳＴＡに送信されうる。例えば、ＳＴＡは、プローブ要求フレームにおいて、ネットワーク上のプリンタに関する、ＡＰからの情報を要求しうる。ＡＰは、アドバタイジングウィンドウが情報を含むこととなるタイミング情報を含むプローブ応答フレームで応答しうる。このタイミング情報は、例えば、クエリに応答する最短時間を含みうる。
【００５０】
[0053]  いくつかの態様では、アドバタイジングウィンドウおよび最短応答時間の使用により、ＳＴＡは、適切なアドバタイジングウィンドウまでスリープになることができる。例えば、ＳＴＡは、ＡＰにクエリを送信し得、クエリに応答する最短時間の後の時間に発生するアドバタイジングウィンドウまでスリープになりうる。例えば、クエリに応答する最短時間をＳＴＡが知っている場合、例えば、ＳＴＡが、ビーコンにおいてこの最短時間を受信した場合、ＳＴＡは、クエリを送信した後に、アドバタイジングウィンドウまでスリープしうる。いくつかの態様では、クエリに応答する最短時間が、プローブ応答フレームに含まれる場合、ＳＴＡは、プローブ応答フレームを受信した後に、アドバタイジングウィンドウまでスリープしうる。
【００５１】
[0054]  いくつかの態様では、ＡＰは、それがアドバタイジングウィンドウ中に受信するクエリを再送信するように構成されうる。例えば、ＳＴＡは、プリンタのようなサービスについて、ＡＰにクエリしうる。ＡＰは、このサービスを提供することもしないこともありうる。ＡＰは、他のＳＴＡがクエリを受信することを可能にするために、アドバタイジングウィンドウ中にこのクエリを再送信しうる。これは、例えば、プリンタを提供するＳＴＡが、他のＳＴＡが任意の特定の時間にクエリを送信することを必要とすることなく、かつ、ＳＴＡが常にアウェイクであることを必要とすることなく、他のＳＴＡからクエリを受信することを可能にしうる。代わりに、プリンタを提供するＳＴＡは、アドバタイジングウィンドウ中アウェイクであり得、アドバタイジングウィンドウ中にＡＰからの再送信されたクエリを受信しうる。これは、サービスおよび効率的な方法を提供するＳＴＡが、サービスを要求するＳＴＡを見つけることを可能にし得、これはまた、これらのＳＴＡが、ＡＰがネットワークにおいて各ＳＴＡ上で利用可能な各サービスに関する情報を記憶することを必要とすることなく互いを見つけることを可能にしうる。
【００５２】
[0044]  図４は、ＳＴＡ１０６のようなＳＴＡに使用されうる、ネットワーク上でアドバタイジングウィンドウを使用するための方法のフローチャートである。
【００５３】
[0056]  ブロック４０５において、ＳＴＡは、ネットワーク上で１つ以上のノードによって提供されるサービスについての情報がアドバタイズされることとなるアドバタイジングウィンドウに関するタイミング情報をアクセスポイントから受信する。いくつかの態様では、ＳＴＡは、ＡＰからビーコンにおいてこの情報を受信しうる。いくつかの態様では、ＳＴＡは、最初に、例えば、プリンタといった、ネットワーク上の特定のサービスについての情報に対する要求を含むプローブ要求フレームを送信し得、ＡＰは、アドバタイジングウィンドウに関するタイミング情報を含むプローブ応答フレームを送信しうる。いくつかの態様では、タイミング情報は、クエリに応答する最短時間を含みうる。ＳＴＡは、ＳＴＡによって提示されたクエリがいつ応答されうるかを決定するためにこの情報を使用するように構成されうる。ＳＴＡは、低電力の仮眠またはスリープモードに入るか、あるいは、タイミング情報を受信した後に、ＳＴＡクエリに対する応答を含みうるアドバタイジングウィンドウの時間まで、受信機のようないくつかの構成要素の電力を選択的に下げるように構成されうる。
【００５４】
[0057]  ブロック４１０において、ＳＴＡは、アドバタイジングウィンドウ中に、ネットワーク上で１つ以上のノードによって提供されるサービスについての情報をアクセスポイントから受信する。いくつかの態様では、この情報は、ＳＴＡによってＡＰに送信されたクエリに対する応答を含みうる。いくつかの態様では、ＳＴＡはまた、ＡＰからの再送信されたクエリを受信し得、ここで、このクエリは、最初に、別のＳＴＡからＡＰに送信される。いくつかの態様では、最初にクエリをＡＰに送信したＳＴＡに関連性のある１つ以上のサービスをＳＴＡが提供する場合に、ＳＴＡは、これらの再送信されたクエリに応答するように構成されうる。例えば、アドバタイジングウィンドウは、ＳＴＡがアドバタイジングメッセージを送信しうる時間の一部を含みうる。これらのアドバタイジングメッセージは、クエリに対する応答を含み得、および／または、ＳＴＡによって提供されるサービスをアドバタイズするために自律的にＳＴＡによって生成されたアドバタイジングメッセージを含みうる。
【００５５】
[0058]  本明細書で使用される場合、「決定すること」という用語は、幅広い動作を包含する。例えば、「決定すること」は、算出すること、計算すること、処理すること、導出すること、調査すること、ルックアップすること（例えば、表、データベース、または別のデータ構造をルックアップすること）、確定すること、等を含みうる。また、「決定すること」は、受信すること（例えば、情報を受信すること）、アクセスすること（例えば、メモリ内のデータにアクセスすること）、等を含みうる。また、「決定すること」は、解決すること、選択すること、選ぶこと、確立すること、等を含みうる。さらに、本明細書で使用される場合、「チャネル幅」は、特定の態様において、帯域幅を包含しうるか、または帯域幅とも呼ばれうる。
【００５６】
[0059]  上述された方法の様々な動作は、様々なハードウェアおよび／またはソフトウェアの構成要素（１つ以上）、回路、および／またはモジュール（１つ以上）、等といった、これら動作を行うことが可能な任意の適切な手段によって行われうる。一般に、図において例示された任意の動作は、これら動作を実行することが可能な対応する機能的な手段によって行われうる。
【００５７】
[0060]  本開示と関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいは本明細書で説明された機能を行うよう設計されたこれらの任意の組み合わせで実現されうるかまたは行われうる。汎用プロセッサはマイクロプロセッサでありうるが、代替的に、プロセッサは、市販の任意のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つ以上のマイクロプロセッサ、またはその他のそのような構成との組み合わせとして実現されうる。
【００５８】
[0061]  １つ以上の態様では、説明された機能が、ハードウェア、ソフトウェア、ファームウェア、またはこれらの任意の組み合わせで実現されうる。ソフトウェアで実現される場合、機能は、１つ以上の命令またはコードとして、コンピュータ可読媒体上で送信および記憶されうる。コンピュータ可読媒体は、ある箇所から別の箇所へのコンピュータプログラム移送を容易にする任意の媒体を含む通信媒体およびコンピュータ記憶媒体の両方を含む。記憶媒体は、コンピュータによりアクセスされることができる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができるその他の媒体を備えうる。また、任意の接続は厳密にはコンピュータ可読媒体と称されうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザー（登録商標）ディスク、光ディスク、デジタル多用途ディスク（ＤＶＤ）、フロッピー（登録商標）ディスク、およびブルーレイ（登録商標）ディスクを含み、ディスク（disk）は、通常磁気的にデータを再生し、ディスク（disc）は、レーザーを用いて光学的にデータを再生する。したがって、いくつかの態様では、コンピュータ可読媒体は、非一時的コンピュータ可読媒体（例えば、有形媒体）を備えうる。加えて、いくつかの態様では、コンピュータ可読媒体は、一時的なコンピュータ可読媒体（例えば、信号）を備えうる。上記の組み合わせもまた、コンピュータ可読媒体の適用範囲内に含まれるべきである。
【００５９】
[0062]  本明細書に開示された方法は、説明された方法を達成するための１つ以上のステップまたは動作を備える。方法のステップおよび／または動作は、特許請求の範囲から逸脱することなく互いに交換されうる。換言すると、ステップまたは動作の特定の順序が明記されない限り、特定のステップおよび／または動作の順序および／または使用は、特許請求の範囲から逸脱することなく修正されうる。
【００６０】
[0063]  説明された機能は、ハードウェア、ソフトウェア、ファームウェア、またはそれらの任意の組み合わせで実現されうる。ソフトウェアで実現される場合、これら機能は、コンピュータ可読媒体上で、１つ以上の命令として記憶されうる。記憶媒体は、コンピュータによりアクセスされることができる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができるその他の媒体を備えうる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピーディスク、およびブルーレイ（登録商標）ディスクを含み、ディスク（disk）は、通常磁気的にデータを再生し、ディスク（disc）は、レーザーを用いて光学的にデータを再生する。
【００６１】
[0064]  ゆえに、特定の態様は、本明細書で提示された動作を行うためのコンピュータプログラム製品を備えうる。例えば、このようなコンピュータプログラム製品は、命令が格納された（および／または符号化された）コンピュータ可読媒体を備え得、これら命令は、本明細書で説明された動作を行うために１つ以上のプロセッサによって実行可能である。特定の態様について、コンピュータプログラム製品はパッケージング材料を含みうる。
【００６２】
[0065]  ソフトウェアまたは命令はまた送信媒体を通して送信されうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、伝送媒体の定義に含まれる。
【００６３】
[0066]  さらに、本明細書で説明された方法および技法を行うためのモジュールおよび／または他の適切な手段が、適宜、ユーザ端末および／または基地局によってダウンロードされうること、および／または、他の手段で取得されうることが認識されるべきである。例えば、このようなデバイスは、本明細書で説明された方法を行うための手段の転送を容易にするためにサーバに結合されうる。代替として、本明細書で説明された様々な方法は、ユーザ端末および／または基地局が、デバイスへの記憶手段の結合または提供に応じて様々な方法を取得可能なように、記憶手段（例えば、ＲＡＭ、ＲＯＭ、コンパクトディスク（ＣＤ）またはフロッピーディスクのような物理記憶媒体、等）を介して提供されうる。さらに、本明細書で説明された方法および技法をデバイスに提供するためのその他の適切な技法が利用されうる。
【００６４】
[0067]  特許請求の範囲が、上で例示した厳密な構成および構成要素に限定されないことが理解されるべきである。様々な修正、変更、および変形が、特許請求の範囲の適用範囲から逸脱することなく、上述された方法および装置の配列、動作、および詳細に対して行われうる。
【００６５】
[0068]  前述の内容は本開示の態様に向けられているが、本開示の他のおよびさらなる態様が、これらの基本的な適用範囲から逸脱することなく考案されることができ、その適用範囲は、以下に示す特許請求の範囲によって決定される。
【図１】
2016518071.tif 000002
【図２】
2016518071.tif 000003
【図３】
2016518071.tif 000004
【図４】
2016518071.tif 000005
【国際調査報告】
2016518071.tif 000006
2016518071.tif 000007
2016518071.tif 000008